(57)【要約】【課題】変化に富んだ画像を提供できるようにする。【解決手段】カメラ１３で撮影された画像が、画像表示部１４に表示される。収納室１２には、ライトペンやタッチペンが収納されており、ユーザは、タッチペンを用いて、撮影モードや落書きモードを選択する。ユーザは、撮影モードに応じて、ライトペンを使用し、光跡に動きのある画像を撮影したり、移動している残像が残るような画像を撮影する。また、ユーザは、落書きモードに応じて、ライトペンを使用し、トラッキングしたり、タッチペンを使用して画像に落書きをする。本発明は、写真シール販売機に適用することができる。【選択図】　　　図１
2004126445.tif 000002
【特許請求の範囲】
【請求項１】
被写体を多重露光で撮影する撮影手段と、
前記撮影手段により撮影された前記被写体の画像を表示する表示手段と、
前記表示手段により表示された前記画像に対して入力された編集入力を受け付ける受付手段と、
前記受付手段により受け付けられた前記編集入力に基づいて、前記画像を編集する編集手段と、
前記編集手段により編集された前記画像を写真シールに印刷する印刷手段と
を備えることを特徴とする写真シール販売機。
【請求項２】
前記撮影手段は、前記被写体の露光を開始するときにストロボを発光させる先幕シンクロ、または前記被写体の露光を終了するときに前記ストロボを発光させる後幕シンクロで撮影する
ことを特徴とする請求項１に記載の写真シール販売機。
【請求項３】
前記受付手段は、光スポットに応じた信号を受け付け、
前記編集手段は、前記光スポットに応じた信号に基づいた光スポットの移動軌跡を、前記画像に合成する
ことを特徴とする請求項１または２に記載の写真シール販売機。
【請求項４】
被写体を多重露光で撮影する撮影ステップと、
前記撮影ステップの処理により撮影された前記被写体の画像を表示する表示ステップと、
前記表示ステップの処理により表示された前記画像に対して入力された編集入力を受け付ける受付ステップと、
前記受付ステップの処理により受け付けられた前記編集入力に基づいて、前記画像を編集する編集ステップと、
前記編集ステップの処理により編集された前記画像を写真シールに印刷する印刷ステップと
を含むことを特徴とする写真シール印刷方法。
【請求項５】
被写体を多重露光で撮影する撮影ステップと、
前記撮影ステップの処理により撮影された前記被写体の画像を表示する表示ステップと、
前記表示ステップの処理により表示された前記画像に対して入力された編集入力を受け付ける受付ステップと、
前記受付ステップの処理により受け付けられた前記編集入力に基づいて、前記画像を編集する編集ステップと、
前記編集ステップの処理により編集された前記画像を写真シールに印刷する印刷ステップと
を含むことを特徴とする写真シール印刷方法により生成される印刷媒体。
【請求項６】
被写体を多重露光で撮影する撮影ステップと、
前記撮影ステップの処理により撮影され、表示された前記被写体の画像に対して入力された編集入力を受け付ける受付ステップと、
前記受付ステップの処理により受け付けられた前記編集入力に基づいて、前記画像を編集する編集ステップと、
前記編集ステップの処理により編集された前記画像を写真シールに印刷する印刷ステップと
を含む処理をコンピュータに実行させることを特徴とするプログラム。
【請求項７】
被写体を多重露光で撮影する撮影手段と、
前記撮影手段により撮影された前記被写体の画像を表示する表示手段と、
前記表示手段により表示された前記画像に対して入力された編集入力を受け付ける受付手段と、
前記受付手段により受け付けられた前記編集入力に基づいて、前記画像を編集する編集手段と、
前記編集手段により編集された前記画像を写真シールに印刷する印刷手段と、
前記印刷手段により、前記画像が印刷された前記写真シールを排出する排出手段と
を備えることを特徴とする写真シール作成装置。
【請求項８】
被写体を多重露光で撮影する撮影ステップと、
前記撮影ステップの処理により撮影された前記被写体の画像を表示する表示ステップと、
前記表示ステップの処理により表示された前記画像に対して入力された編集入力を受け付ける受付ステップと、
前記受付ステップの処理により受け付けられた前記編集入力に基づいて、前記画像を編集する編集ステップと、
前記編集ステップの処理により編集された前記画像を写真シールに印刷する印刷ステップと、
前記印刷ステップの処理により、前記画像が印刷された前記写真シールを排出する排出ステップと
を含むことを特徴とする写真シール作成方法。
【請求項９】
被写体を多重露光で撮影する撮影ステップと、
前記撮影ステップの処理により撮影され、表示された前記被写体の画像に対して入力された編集入力を受け付ける受付ステップと、
前記受付ステップの処理により受け付けられた前記編集入力に基づいて、前記画像を編集する編集ステップと、
前記編集ステップの処理により編集された前記画像を写真シールに印刷する印刷ステップと、
前記印刷ステップの処理により、前記画像が印刷された前記写真シールを排出する排出ステップと
を含む処理をコンピュータに実行させることを特徴とするプログラム。
【発明の詳細な説明】
【０００１】
【発明の属する技術分野】
本発明は写真シール販売機および写真シール印刷方法、写真シール作成装置および方法、印刷媒体、並びにプログラムに関し、特に、複数の利用者が同時に画像編集入力を行い、より快適に画像を印刷できるようにする写真シール販売機および写真シール印刷方法、写真シール作成装置および方法、印刷媒体、並びにプログラムに関する。
【０００２】
【従来の技術】
画像編集を行う画像プリント作成装置が、例えば、特許文献１に開示されている。この画像プリント作成装置では、撮影し、表示部に表示されている画像上に、付属のタッチペンを用いて、文字、図形などを書き込むことが開示されている。
【０００３】
【特許文献１】
特開２０００−６９４０４号公報（図５）
【０００４】
【発明が解決しようとする課題】
しかしながら、特許文献１の画像プリント作成装置においては、液晶ディスプレイ上で、複数の利用者が画像編集入力を行うため、複数の利用者が同時に楽しむことは出来るものの、より変化に富んだ画像を利用者に提供することが困難であるという課題があった。
【０００５】
本発明はこのような状況に鑑みてなされたものであり、より変化に富んだ画像を利用者に提供することができるようにすることを目的とする。
【０００６】
【課題を解決するための手段】
本発明の写真シール販売機は、被写体を多重露光で撮影する撮影手段と、撮影手段により撮影された被写体の画像を表示する表示手段と、表示手段により表示された画像に対して入力された編集入力を受け付ける受付手段と、受付手段により受け付けられた編集入力に基づいて、画像を編集する編集手段と、編集手段により編集された画像を写真シールに印刷する印刷手段とを備えることを特徴とする。
【０００７】
本発明の写真シール販売機においては、被写体が多重露光で撮影され、撮影された被写体の画像が表示され、表示された画像に対して入力された編集入力が受け付けられる。また、受け付けられた編集入力に基づいて、画像が編集され、編集された画像が写真シールに印刷される。
【０００８】
したがって、１つの画像に移動している残像が残る面白い画像を撮影することができる。
【０００９】
この撮影手段は、例えば、ＣＣＤ（Ｃｈａｒｇｅ　Ｃｏｕｐｌｅｄ　Ｄｅｖｉｃｅ）、ＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）などの撮像素子からなる小型のカメラにより構成される。表示手段は、例えば、液晶ディスプレイにより構成される。受付手段は、例えば、タッチパネルにより構成される。編集手段は、例えばＣＰＵ（Ｃｅｎｔｒａｌ　Ｐｒｏｃｅｓｓｉｎｇ　Ｕｎｉｔ）が所定のプログラムを実行することで実現される。印刷手段は、例えば、プリンタにより構成される。
【００１０】
撮影手段は、被写体の露光を開始するときにストロボを発光させる先幕シンクロ、または被写体の露光を終了するときにストロボを発光させる後幕シンクロで撮影するようにすることができる。
【００１１】
これにより、光跡に動きのある面白い画像を撮影することができる。
【００１２】
受付手段は、光スポットに応じた信号を受け付け、編集手段は、光スポットに応じた信号に基づいた光スポットの移動軌跡を、画像に合成するようにすることができる。
【００１３】
これにより、画像の前景に効果のある、変化に富んだ画像を作成することができる。
【００１４】
本発明の写真シール印刷方法は、被写体を多重露光で撮影する撮影ステップと、撮影ステップの処理により撮影された被写体の画像を表示する表示ステップと、表示ステップの処理により表示された画像に対して入力された編集入力を受け付ける受付ステップと、受付ステップの処理により受け付けられた編集入力に基づいて、画像を編集する編集ステップと、編集ステップの処理により編集された画像を写真シールに印刷する印刷ステップとを含むことを特徴とする。
【００１５】
本発明の写真シール印刷方法においては、被写体が多重露光で撮影され、撮影された被写体の画像が表示され、表示された画像に対して入力された編集入力が受け付けられる。また、受け付けられた編集入力に基づいて、画像が編集され、編集された画像が写真シールに印刷される。
【００１６】
これにより、１つの画像に移動している残像が残る面白い画像を撮影することができる。
【００１７】
出射ステップは、例えば、ＣＰＵからの信号に基づいて、ＣＣＤカメラにより被写体を多重露光で撮影する撮影ステップにより構成され、表示ステップは、例えば、撮影された被写体の画像を、ＣＰＵからの信号に基づいて、液晶ディスプレイに表示する表示ステップにより構成される。受付ステップは、例えば、液晶ディスプレイに表示された画像に対して、タッチペンによって入力された編集入力を、ＣＰＵにより受け付ける受付ステップから構成され、編集ステップは、例えば、受け付けられた編集入力に基づいて、ＣＰＵからの信号により画像を編集する編集ステップから構成される。印刷ステップは、例えば、ＣＰＵからの信号に基づいて、編集された画像をプリンタによって写真シールに印刷する印刷ステップから構成される。
【００１８】
本発明の印刷媒体は、被写体を多重露光で撮影する撮影ステップと、撮影ステップの処理により撮影された被写体の画像を表示する表示ステップと、表示ステップの処理により表示された画像に対して入力された編集入力を受け付ける受付ステップと、受付ステップの処理により受け付けられた編集入力に基づいて、画像を編集する編集ステップと、編集ステップの処理により編集された画像を写真シールに印刷する印刷ステップとを含むことを特徴とする写真シール印刷方法により生成される。
【００１９】
本発明の印刷媒体においては、被写体が多重露光で撮影され、撮影された被写体の画像が表示され、表示された画像に対して入力された編集入力が受け付けられ、受け付けられた編集入力に基づいて、画像が編集され、編集された画像が印刷される。
【００２０】
これにより、印刷媒体は、１つの画像に移動している残像が残る面白い画像となる。
【００２１】
出射ステップは、例えば、ＣＰＵからの信号に基づいて、ＣＣＤカメラにより被写体を多重露光で撮影する撮影ステップにより構成され、表示ステップは、例えば、撮影された被写体の画像を、ＣＰＵからの信号に基づいて、液晶ディスプレイに表示する表示ステップにより構成される。受付ステップは、例えば、液晶ディスプレイに表示された画像に対して、タッチペンによって入力された編集入力を、ＣＰＵにより受け付ける受付ステップから構成され、編集ステップは、例えば、受け付けられた編集入力に基づいて、ＣＰＵからの信号により画像を編集する編集ステップから構成される。印刷ステップは、例えば、ＣＰＵからの信号に基づいて、編集された画像をプリンタによって写真シールに印刷する印刷ステップから構成される。
【００２２】
本発明のプログラムは、被写体を多重露光で撮影する撮影ステップと、撮影ステップの処理により撮影され、表示された被写体の画像に対して入力された編集入力を受け付ける受付ステップと、受付ステップの処理により受け付けられた編集入力に基づいて、画像を編集する編集ステップと、編集ステップの処理により編集された画像を写真シールに印刷する印刷ステップとを含む処理をコンピュータに実行させることを特徴とする。
【００２３】
本発明のプログラムにおいては、被写体が多重露光で撮影され、撮影された被写体の画像が表示され、表示された画像に対して入力された編集入力が受け付けられる。また、受け付けられた編集入力に基づいて、画像が編集され、編集された画像が写真シールに印刷される。
【００２４】
これにより、１つの画像に移動している残像が残る面白い画像を撮影することができる。
【００２５】
出射ステップは、例えば、ＣＰＵからの信号に基づいて、ＣＣＤカメラにより被写体を多重露光で撮影する撮影ステップにより構成され、表示ステップは、例えば、撮影された被写体の画像を、ＣＰＵからの信号に基づいて、液晶ディスプレイに表示する表示ステップにより構成される。受付ステップは、例えば、液晶ディスプレイに表示された画像に対して、タッチペンによって入力された編集入力を、ＣＰＵにより受け付ける受付ステップから構成され、編集ステップは、例えば、受け付けられた編集入力に基づいて、ＣＰＵからの信号により画像を編集する編集ステップから構成される。印刷ステップは、例えば、ＣＰＵからの信号に基づいて、編集された画像をプリンタによって写真シールに印刷する印刷ステップから構成される。
【００２６】
本発明の写真シール作成装置は、被写体を多重露光で撮影する撮影手段と、撮影手段により撮影された被写体の画像を表示する表示手段と、表示手段により表示された画像に対して入力された編集入力を受け付ける受付手段と、受付手段により受け付けられた編集入力に基づいて、画像を編集する編集手段と、編集手段により編集された画像を写真シールに印刷する印刷手段と、印刷手段により、画像が印刷された写真シールを排出する排出手段とを備えることを特徴とする。
【００２７】
本発明の写真シール作成装置においては、被写体が多重露光で撮影され、撮影された被写体の画像が表示され、表示された画像に対して入力された編集入力が受け付けられる。また、受け付けられた編集入力に基づいて、画像が編集され、編集された画像が写真シールに印刷され、画像が印刷された写真シールが排出される。
【００２８】
これにより、１つの画像に移動している残像が残る面白い画像の写真シールを作成することができる。
【００２９】
この撮影手段は、例えば、ＣＣＤ，ＣＭＯＳなどの撮像素子からなる小型のカメラにより構成される。表示手段は、例えば、液晶ディスプレイにより構成される。受付手段は、例えば、タッチパネルにより構成される。編集手段は、例えばＣＰＵが所定のプログラムを実行することで実現される。印刷手段は、例えば、プリンタにより構成される。排出手段は、例えば、シール取り出し口により構成される。
【００３０】
本発明の写真シール作成方法は、被写体を多重露光で撮影する撮影ステップと、撮影ステップの処理により撮影された被写体の画像を表示する表示ステップと、表示ステップの処理により表示された画像に対して入力された編集入力を受け付ける受付ステップと、受付ステップの処理により受け付けられた編集入力に基づいて、画像を編集する編集ステップと、編集ステップの処理により編集された画像を写真シールに印刷する印刷ステップと、印刷ステップの処理により、画像が印刷された写真シールを排出する排出ステップとを含むことを特徴とする。
【００３１】
本発明の写真シール作成方法においては、被写体が多重露光で撮影され、撮影された被写体の画像が表示され、表示された画像に対して入力された編集入力が受け付けられる。また、受け付けられた編集入力に基づいて、画像が編集され、編集された画像が写真シールに印刷され、画像が印刷された写真シールが排出される。
【００３２】
これにより、１つの画像に移動している残像が残る面白い画像の写真シールを作成することができる。
【００３３】
出射ステップは、例えば、ＣＰＵからの信号に基づいて、ＣＣＤカメラにより被写体を多重露光で撮影する撮影ステップにより構成され、表示ステップは、例えば、撮影された被写体の画像を、ＣＰＵからの信号に基づいて、液晶ディスプレイに表示する表示ステップにより構成される。受付ステップは、例えば、液晶ディスプレイに表示された画像に対して、タッチペンによって入力された編集入力を、ＣＰＵにより受け付ける受付ステップから構成され、編集ステップは、例えば、受け付けられた編集入力に基づいて、ＣＰＵからの信号により画像を編集する編集ステップから構成される。印刷ステップは、例えば、ＣＰＵからの信号に基づいて、編集された画像をプリンタによって写真シールに印刷する印刷ステップから構成され、排出ステップは、例えば、ＣＰＵからの信号に基づいて、画像が印刷された写真シールを、シール取り出し口に排出する排出ステップから構成される。
【００３４】
本発明のプログラムは、被写体を多重露光で撮影する撮影ステップと、撮影ステップの処理により撮影され、表示された被写体の画像に対して入力された編集入力を受け付ける受付ステップと、受付ステップの処理により受け付けられた編集入力に基づいて、画像を編集する編集ステップと、編集ステップの処理により編集された画像を写真シールに印刷する印刷ステップと、印刷ステップの処理により、画像が印刷された写真シールを排出する排出ステップとを含む処理をコンピュータに実行させることを特徴とする。
【００３５】
本発明のプログラムにおいては、被写体が多重露光で撮影され、撮影された被写体の画像が表示され、表示された画像に対して入力された編集入力が受け付けられる。また、受け付けられた編集入力に基づいて、画像が編集され、編集された画像が写真シールに印刷され、画像が印刷された写真シールが排出される。
【００３６】
これにより、１つの画像に移動している残像が残る面白い画像の写真シールを作成することができる。
【００３７】
出射ステップは、例えば、ＣＰＵからの信号に基づいて、ＣＣＤカメラにより被写体を多重露光で撮影する撮影ステップにより構成され、表示ステップは、例えば、撮影された被写体の画像を、ＣＰＵからの信号に基づいて、液晶ディスプレイに表示する表示ステップにより構成される。受付ステップは、例えば、液晶ディスプレイに表示された画像に対して、タッチペンによって入力された編集入力を、ＣＰＵにより受け付ける受付ステップから構成され、編集ステップは、例えば、受け付けられた編集入力に基づいて、ＣＰＵからの信号により画像を編集する編集ステップから構成される。印刷ステップは、例えば、ＣＰＵからの信号に基づいて、編集された画像をプリンタによって写真シールに印刷する印刷ステップから構成され、排出ステップは、例えば、ＣＰＵからの信号に基づいて、画像が印刷された写真シールを、シール取り出し口に排出する排出ステップから構成される。
【００３８】
【発明の実施の形態】
以下に、本発明の実施の形態について図面を参照して説明する。図１は、本発明を適用した写真シール販売機の外観の構成を示している。写真シール販売機１の筺体１０の前面の左右には、照明装置１１−１と照明装置１１−２が設けられている。なお、以下において、照明装置１１−１と照明装置１１−２のそれぞれを個別に区別する必要がない場合、まとめて照明装置１１と称する。
【００３９】
照明装置１１は、撮影の際のフラッシュとして機能するとともに、筺体１０および利用者を囲む壁面により外光が遮断されているため、撮影前の状態においても利用者を照明する。
【００４０】
筺体１０の前面の中央には、利用者を撮影するためのＣＣＤ、ＣＭＯＳ等の小型のカメラ１３が設けられ、カメラ１３が撮影している取り込み画像は、照明装置１１−１と照明装置１１−２の間に設けられている画像表示部１４に表示される。この画像表示部１４は、上部に透明なタッチパネルが積層された液晶ディスプレイにより構成される。すなわち、この画像表示部１４は、ほぼ、その全面が表示面とされ、利用者のほぼ全身を表示することができる大きさとされている。画像表示部１４のほぼ中央に、画像表示の大きな支障にはならない程度に充分小さいカメラ１３が配置されている。
【００４１】
筐体１０の画像表示部１４に向かって背面１０ａに設けられた収納室１２には、ライトペンとタッチペンが収納されており、画像表示部１４に表示された撮影画像に、ユーザは、ライトペンやタッチペンを利用して落書き処理（図１５を参照して後述する）を施したり、変化のある撮影処理（図５乃至図１４を参照して後述する）を施すことができる。また、画像表示部１４には、撮影画像の他、画像プリントの作成および印刷処理の進行段階に応じて種々の選択ボタン、メッセージなどが表示され、画像表示部１４に表示された選択ボタンを、タッチペンを用いて選択することにより撮影手順が進行される。
【００４２】
筐体１０の外側の側壁には、硬貨投入口１５が設けられている。ユーザが所定の代金を硬貨投入口１５に投入すると、撮影手順が開始される。
【００４３】
硬貨投入口１５の図中、下部には、シール取り出し口１６が設けられており、撮影し、画像編集した撮影画像が、所定数に分割された写真シールに印刷されて排出される。
【００４４】
図２は、収納室１２に収納されたライトペンとタッチペンの外観の構成を示す。収納室１２には、ライトペン４１−１乃至４１−３と、タッチペン４２−１乃至４２−３が、それぞれ収納部４３−１乃至４３−３と、収納部４４−１乃至４４−３に突出するように収納されている。収納部４３−１乃至４３−３と、収納部４４−１乃至４４−３の底面には、センサ４５−１乃至４５−３と、センサ４６−１乃至４６−３が設けられている。なお、図２には、説明の便宜上、センサ４５−１とセンサ４６−１のみが示されている。
【００４５】
なお、以下において、ライトペン４１−１乃至４１−３のそれぞれを個別に区別する必要がない場合、まとめてライトペン４１と称し、タッチペン４２−１乃至４２−３のそれぞれを個別に区別する必要がない場合、まとめてタッチペン４２と称する。また、収納部４３−１乃至４３−３のそれぞれを個別に区別する必要がない場合、まとめて収納部４３と称し、収納部４４−１乃至４４−３のそれぞれを個別に区別する必要がない場合、まとめて収納部４４と称する。さらに、センサ４５−１乃至４５−３のそれぞれを個別に区別する必要がない場合、まとめてセンサ４５と称し、センサ４６−１乃至４６−３のそれぞれを個別に区別する必要がない場合、まとめてセンサ４６と称する。
【００４６】
センサ４５は、ライトペン４１が収納部４３に収納されたか否かを検知し、収納されていない場合、所定のタイミングで、ユーザに収納（返却）を促すメッセージが表示される。同様に、センサ４６は、タッチペン４２が収納部４４に収納されたか否かを検知し、収納されていない場合、所定のタイミングで、ユーザに収納（返却）を促すメッセージが表示される。
【００４７】
図３は、写真シール販売機１の構成を示すブロック図である。なお、図１と図２に対応する部分には、同一の符号を付してある。
【００４８】
ＣＰＵ６１は、ＲＯＭ（Ｒｅａｄ　Ｏｎｌｙ　Ｍｅｍｏｒｙ）６２に記憶されているプログラムに従って、全体の動作、処理を制御する。すなわち、各処理部は、バス６０を介してＣＰＵ６１に接続され、制御される。
【００４９】
ＲＡＭ（Ｒａｎｄｏｍ　Ａｃｃｅｓｓ　Ｍｅｍｏｒｙ）６３は、ＣＰＵ６１の作業中データを記憶するとともに、各処理部においてユーザが行った選択、指示などを一時記憶する。
【００５０】
ドライバ６４は、図示せぬＣＤ−ＲＯＭなどの記録媒体を駆動し、記録情報を読み出す。ＣＤ−ＲＯＭなどの記録媒体には、撮影処理、落書き処理などを含む種々の処理を行うためのプログラムが記録されており、それらのプログラムは実行時に、ＲＡＭ６３に転送されて実行される。
【００５１】
硬貨処理部６５は、硬貨投入口１５から投入された硬貨の金額を検出し、所定の代金が投入されたと検出した場合、その旨をＣＰＵ６１に通知する。
【００５２】
プリンタ６６は、画像シールを作成する部分であり、カメラ１３により撮影され、後述の落書き処理などが施された後の画像（プリントすべきとして確定した画像、以下、プリント画像と称する）をシール紙（写真シール紙）６７に印刷し、出力する。シール紙６７は、プリンタ６６により印刷された、ユーザが選択したプリント画像を、指定された分割単位で剥せるように構成されている。なお、利用者は、１枚のシール紙６７上に、数種類のプリント画像を選択して印刷させることができる。
【００５３】
ＩＤタグリーダ／ライタ６８は、シール紙６７の残量等の設定情報をＩＤタグ６９に書き込んだり、読み込む。ＩＤタグ６９とシール紙６７から、シール紙ユニット７０は構成されている。
【００５４】
表示プロセッサ７１は、ＣＰＵ６１からの指示に基づいて、撮影手順の案内画面や撮影画像を画像表示部１４に表示させる。表示プロセッサ７１は、カメラ１３の撮影画像を記憶するためのフレームバッファを内蔵する。フレームバッファは、デュアルポートメモリにより構成され、それぞれの領域が１枚分の撮影画像を記憶できる２つの領域に分けて使用される。フレームバッファの第１の領域には、カメラ１３からの取り込み画像が入力され、撮影後は、撮影した画像が記憶される。
【００５５】
一方、第２の領域は、落書き処理などの編集処理において使用される記憶領域であり、撮影が終了した時点では、第１の領域と同一の撮影画像が記憶される。すなわち、編集処理において、利用者がライトペン４１やタッチペン４２を利用して落書きを入力すると、その入力データが第２の領域内に書き込まれる。なお、ユーザは、消しゴム処理を指定することにより、１度付加した落書きを消去し、元の画像に戻すことができる。その場合、表示プロセッサ７１は、その消しゴムで指定された部分の画像データを第１の領域から読み出し、第２の領域に書き込むことにより、ユーザが消しゴムで指定した部分を、落書き処理を行う前の撮影画像に戻す。
【００５６】
画像表示部１４には、表示プロセッサ７１のフレームバッファの第２の領域に記憶されたデータが表示される。したがって、ユーザが落書きなどを入力している最中は、落書きなどが施された撮影画像が画像表示部１４に表示される。
【００５７】
タッチパネル７２は、タッチペン４２からの入力を検出する。すなわち、ユーザは、画像表示部１４に表示された選択ボタンをタッチペン４２を用いて選択したり、画像表示部１４に表示された撮影画像に対して、その上に落書きなどを行う。タッチペン４２による入力データは、タッチパネル７２により検出され、入力データとして表示プロセッサ７１のフレームバッファの第２の領域に書き込まれる。
【００５８】
カメラ１３は、ＣＰＵ６１の指令に基づいて、撮影を行う。即ち、ユーザは、画像表示部１４に表示された選択ボタンを、タッチペン４２を用いて選択することにより、撮影モード（多重露光、先幕撮影、後幕撮影、通常撮影（図５乃至図１４で後述する））を選択し、カメラ１３は、選択された撮影モードに応じて、撮影を行う。
【００５９】
カメラ１３はまた、ライトペン４１の光スポットを撮影し、その撮影信号をＣＰＵ６１に供給する。ＣＰＵ６１は、撮影信号から、光スポットの位置を検出する。検出された光スポットの位置データは、入力データとして表示プロセッサ７１のフレームバッファの第２の領域に書き込まれる。即ち、ライトペン４１によって描かれた光スポットの軌跡は、撮影画像と合成される。
【００６０】
次に、写真シール販売機１のゲーム処理について、図４のフローチャートを参照して説明する。
【００６１】
ステップＳ１において、ＣＰＵ６１は、硬貨処理部６５からの通知に基づいて、所定の代金が、硬貨投入口１５から投入されたか否かを判定する。ＣＰＵ６１は、所定の代金が硬貨投入口１５から投入されたと判定するまで待機する。
【００６２】
ステップＳ１において、所定の代金が投入されたと判定した場合、ＣＰＵ６１は、処理をステップＳ２に進め、撮影処理を行なう。
【００６３】
ＣＰＵ６１がカメラ１３を制御して行う撮影処理を、図５と図６のフローチャートを参照して説明する。
【００６４】
ステップＳ２１において、ＣＰＵ６１は、画像表示部１４に表示された撮影開始ボタンが押された（ユーザがタッチペン４２を使用して選択した）か否かを判定する。撮影開始ボタンが押されていないと判定した場合、ＣＰＵ６１は、撮影開始ボタンが押されるまで待機する。ステップＳ２１において、撮影開始ボタンが押されたと判定した場合、ＣＰＵ６１は、ステップＳ２２において、表示プロセッサ７１を制御し、画像表示部１４に撮影モード選択画面を表示する。
【００６５】
図７は、画像表示部１４に表示された撮影モード選択画面の例を示す図である。図中、右側の案内表示部９５には、「撮影モードを選択してね！」という案内が表示されている。図中、左側には、通常撮影モードボタン９１、先幕撮影（先幕シンクロ）モードボタン９２、後幕撮影（後幕シンクロ）モードボタン９３、および多重露光撮影モードボタン９４が設けられている。それぞれのモードボタンの左側には、チェックボックスが設けられている。ユーザがタッチペン４２を用いて、通常撮影モードボタン９１、先幕撮影モードボタン９２、後幕撮影モードボタン９３、または多重露光撮影モードボタン９４のいずれかを選択すると、選択されたモードボタンの左側に設けられたチェックボックスがチェックされる。撮影モードが選択されると、案内表示部９５の図中右下部の説明部９６に、選択された撮影モードの説明が表示される。図７の例の場合、先幕撮影モードボタン９２が選択されているので、先幕撮影モードボタン９２の左側のチェックボックスがチェックされ、「「先幕」「後幕」撮影は、ライトペンを使うとき、面白い画像になるよ！」という説明が表示される。
【００６６】
ステップＳ２３において、ＣＰＵ６１は、多重露光が選択された（ユーザが多重露光撮影モードボタン９４をタッチペン４２で選択した）か否かが判定される。多重露光が選択されたと判定した場合、ＣＰＵ６１は、処理をステップＳ２４に進め、カメラ１３を制御してシャッタを駆動し、露光を開始する。ステップＳ２５において、ＣＰＵ６１は、照明装置１１を制御してストロボ発光させる（瞬間的に、通常より強い光を発生させる）。所定の時間が経過すると、ステップＳ２６において、ＣＰＵ６１は、カメラ１３を制御してシャッタを駆動し、露光を終了する。
【００６７】
このとき、照明装置１１を制御して、撮影空間の明るさを落とし、露光が開始されてから露光が終了されるまでの間に、ストロボを連続的に、例えば２秒間に１０回発光させるようにしてもよい。この場合、例えば、ゴルフのスイング解析写真のような画像が撮影される。
【００６８】
ステップＳ２７において、ＣＰＵ６１は、予め設定された所定の回数、露光したか否かを判定する。即ち、例えば、２重露光の場合（回数が２回に設定されている場合）、ステップＳ２４，Ｓ２５，Ｓ２６の処理が２回繰り返されたか否かを判定する。ステップＳ２７において、まだ所定の回数だけ露光していないと判定した場合、ＣＰＵ６１は処理をステップＳ２４に戻し、さらにステップＳ２５，Ｓ２６の処理を行なうことによって再度露光する。ステップＳ２７において、所定の回数、露光したと判定されるまで、この処理は繰り返され、所定の回数だけ、露光が行われる。
【００６９】
図８は、多重露光モードで撮影した画像が画像表示部１４に表示された例を示す図である。正面に人１１０が正立している。人１１０の画像は、頭部１１１、左手部１１２、右手部１１３、胴部１１４、左足部１１５、および右足部１１６から構成されている。
【００７０】
図８の例の場合、人１１０は、右手を、図中、上方向に動かして、多重露光させている。１回目の露光で、カメラ１３は、図５のステップＳ２４，Ｓ２５，Ｓ２６の処理を行ない、頭部１１１、左手部１１２、右手部１１３ａ、胴部１１４、左足部１１５、および右足部１１６の画像を取り込む。人１１０は、右手を図中、上方向に動かし、２回目の露光で、ＣＣＤカメラ１１３は、図５のステップＳ２４，Ｓ２５，Ｓ２６の処理を行ない、頭部１１１、左手部１１２、右手部１１３ｂ、胴部１１４、左足部１１５、および右足部１１６の画像を取り込む。
【００７１】
同様に、３回目の露光で、カメラ１３は、頭部１１１、左手部１１２、右手部１１３ｃ、胴部１１４、左足部１１５、および右足部１１６の画像を取り込み、４回目の露光で、頭部１１１、左手部１１２、右手部１１３ｄ、胴部１１４、左足部１１５、および右足部１１６の画像を取り込む。また、５回目の露光で、カメラ１３は、頭部１１１、左手部１１２、右手部１１３ｅ、胴部１１４、左足部１１５、および右足部１１６の画像を取り込む。
【００７２】
即ち、図８の例では、５回の露光により、頭部１１１、左手部１１２、右手部１１３ａ乃至１１３ｅ、胴部１１４、左足部１１５、および右足部１１６からなる画像が、カメラ１３により撮影される。
【００７３】
このように、本発明においては、多重露光撮影をすることにより、１つの画像に、移動している残像を残すことができ、面白みのある画像（変化に富んだ画像）を撮影することができる。
【００７４】
ステップＳ２３において、多重露光が選択されていないと判定した場合、ＣＰＵ６１は、処理をステップＳ２８に進め、先幕撮影または後幕撮影が選択された（ユーザがタッチペン４２を用いて、先幕撮影モードボタン９２または後幕撮影モードボタン９３を選択した）か否かを判定する。先幕撮影または後幕撮影が選択されたと判定した場合、ＣＰＵ６１は、処理をステップＳ２９に進め、ライトペン４１が使用されたか否かを判定する。即ち、ＣＰＵ６１は、例えば、図２に示されるように、ライトペン４１の収納部４３の底面に設けられたセンサ４５により、ライトペン４１が収納されているか否かを判定する。
【００７５】
ステップＳ２９において、少なくとも１本のライトペン４１が使用された（収納部４３に収納されていない）と判定した場合、ＣＰＵ６１は、処理をステップＳ３０に進め、先幕後幕撮影処理を行なう。
【００７６】
ＣＰＵ６１がカメラ１３を制御して行う先幕後幕撮影処理を、図９のフローチャートを参照して説明する。
【００７７】
ステップＳ６１において、ＣＰＵ６１は、露光時間を、予め長時間モードとして設定された所定の時間に設定する。ステップＳ６２において、ＣＰＵ６１は、先幕撮影が選択された（ユーザがタッチペン４２を用いて先幕撮影モードボタン９２を選択した）か否かを判定する。先幕撮影が選択されたと判定した場合、ＣＰＵ６１は、処理をステップＳ６３に進め、カメラ１３を制御して、先幕をスライドして露光を開始し、先幕をスライドした瞬間に照明装置１１を制御して、ストロボ発光させる。
【００７８】
ステップＳ６４において、ＣＰＵ６１は、ステップＳ６１の処理で設定した時間が経過するまで待機し、設定した時間が経過したとき、ステップＳ６５において、ＣＰＵ６１は、カメラ１３を制御して後幕をスライドする（後幕をスライドすることによって露光が終了される）。
【００７９】
図１０は、撮影空間を暗くしてライトペン４１を持って前に歩くユーザを、先幕撮影モードにより撮影した場合の画像の例を示す。図１０は、ユーザ（人１１０）が、ライトペン４１を右手部１１３に持って撮影した画像である。人（ユーザ）１１０は、頭部１１１、左手部１１２、右手部１１３、胴部１１４、左足部１１５、および右足部１１６から構成されている。暗い被写体としての人１１０は、露光開始直後のストロボ発光時においてのみ実質的に撮像される。明るい被写体としてのライトペン４１は、ストロボ発光がなくても実質的に撮像されるので、露光時間が長いとライトペン４１の移動に伴って、光跡１５１が人１１０の前方に伸びるように撮像される。
【００８０】
ステップＳ６２において、先幕撮影が選択されない（ユーザによりタッチペン４２を用いて後幕撮影モードボタン９３が選択された）と判定した場合、ＣＰＵ６１は、処理をステップＳ６６に進め、カメラ１３を制御して、先幕をスライドし、露光を開始する。先幕をスライドした後、ステップＳ６７において、ＣＰＵ６１は、所定時間（ステップＳ６１で設定された露光時間）が経過するまで待機する。所定時間が経過すると、ステップＳ６８において、ＣＰＵ６１は、照明装置１１を制御してストロボ発光させた後、ステップＳ６９において、直ちに、カメラ１３を制御して、後幕をスライドし、露光を終了させる。
【００８１】
図１１は、撮影空間を暗くしてライトペン４１を持って前に歩くユーザを、後幕撮影モードで撮影した例を示す図である。この場合、明るい被写体としてのライトペン４１は、露光中連続して撮影されるので、光跡１５１が形成される。暗い被写体としての人１１０は、露光終了直前にだけ実質的に撮影されるので、光跡１５１は、人１１０の後方に延びる。図１２は、ユーザがライトペン４１を用いて、後幕撮影した画像を編集した例を示す。人（ユーザ）１１０の画像は、頭部１１１、左手部１１２、右手部１１３、胴部１１４、左足部１１５、および右足部１１６から構成されている。ユーザ（人１１０）は、両手（左手部１１２と右手部１１３）にライトペン４１を持って後ろに歩いて撮影したので、ライトペン４１の光跡１５１が撮影されている。さらに、図中、左上に、落書き処理（図１５と図１６を参照して後述する）によって狼１１３と炎１３２を描くことにより、狼１１３と戦う画像が作成されている。
【００８２】
このように、本発明においては、先幕撮影（先幕シンクロ）または後幕撮影（後幕シンクロ）により、スローシャッタで光跡が撮影されるので、光跡に動きのある、面白い画像を撮影することができる。
【００８３】
図５に戻って、ステップＳ２８において、先幕撮影または後幕撮影が選択されていないと判定した場合、ＣＰＵ６１は、処理をステップＳ３１に進め、通常撮影処理が選択された（ユーザがタッチペン４２を用いて通常撮影モードボタン９１を選択した）か否かを判定する。通常撮影が選択されていないと判定した場合、ユーザはまだ撮影モードを選択していないので、ＣＰＵ６１は、処理をステップＳ２３に戻し、撮影モードが選択されるまでステップＳ２３，Ｓ２８，Ｓ３１の処理を繰り返す。
【００８４】
ステップＳ３１において、通常撮影処理が選択されたと判定した場合、またはステップＳ２９でライトペン４１が使用されていない（ライトペン４１が収納室４３に収納されている）と判定した場合は、光がなく、先幕撮影または後幕撮影する必要がないので、ＣＰＵ６１は、処理をステップＳ３２に進め、通常撮影処理を行なう。
【００８５】
なお、ライトペン４１ではなく、光を放つ提灯等のグッズをユーザが持参して撮影ができるようにした場合は、ステップＳ２９の処理は行なわず、ステップＳ３０に進み、先幕後幕撮影処理を行う。
【００８６】
ＣＰＵ６１がカメラ１３を制御して行う通常撮影処理を、図１３のフローチャートを参照して説明する。
【００８７】
ステップＳ８１において、ＣＰＵ６１は、露光時間を予め設定された通常モードの時間に設定する。ステップＳ８２において、ＣＰＵ６１は、カメラ１３を制御して、シャッタを駆動し、露光を開始する。ステップＳ８３において、ＣＰＵ６１は、照明装置１１にストロボ発光させる。所定の時間（ステップＳ８１の処理で設定された露光時間）が経過すると、ステップＳ８４において、ＣＰＵ６１は、カメラ１３を制御して、シャッタを駆動し、露光を終了させる。
【００８８】
図１４は、通常撮影モードで撮影された例を示す図である。人１７１乃至１７３の３人の全身の画像が撮影されている。
【００８９】
ステップＳ２７で所定の回数、露光したと判定した場合、ステップＳ３０の処理の後、またはステップＳ３２の処理の後（多重露光撮影、先幕撮影、後幕撮影、または通常撮影が行われた後）、ＣＰＵ６１は、処理をステップＳ３３に進め、カメラ１３により撮影された画像データをＲＡＭ６３に保存する。ステップＳ３４において、ＣＰＵ６１は、撮影時間が予め設定された撮影設定時間以内であるか否かを判定する。撮影時間が予め設定された撮影設定時間以内であると判定した場合、ＣＰＵ６１は、処理をステップＳ３５に進め、撮影枚数が所定の枚数に達したか否かを判定する。
【００９０】
ステップＳ３５において、撮影枚数が所定の枚数に達していないと判定した場合、ＣＰＵ６１は、処理をステップＳ２２に戻し、撮影モードをユーザに選択させ、ステップＳ２３乃至Ｓ３２の処理で、選択された撮影モードに基づいて撮影を行い、ステップＳ３３で撮影された画像データを保存する処理を行なう。この処理は、ステップＳ３４で撮影時間が予め設定された撮影設定時間以内ではない（撮影時間が撮影設定時間を越した）と判定されるか、またはステップＳ３５で撮影枚数が所定の枚数に達したと判定されるまで、繰り返される。
【００９１】
ステップＳ３４で撮影時間が予め設定された撮影設定時間以内ではない（撮影時間が撮影設定時間を越した）と判定した場合、またはステップＳ３５で撮影枚数が所定の枚数に達したと判定した場合、ＣＰＵ６１は、撮影処理を終了し、図４のステップＳ３の処理に進む。
【００９２】
ステップＳ３において、ＣＰＵ６１は、落書き処理を行なう。ＣＰＵ６１が行う落書き処理を、図１５と図１６のフローチャートを参照して説明する。
【００９３】
ステップＳ１０１において、ＣＰＵ６１は、表示プロセッサ７１を制御し、それまでに撮影され、ＲＡＭ６３に保存された画像（例えば、図１０、図１１、図１４）のサムネイル画像の一覧を、画像表示部１４に表示する。ステップＳ１０２において、ＣＰＵ６１は、画像が選択されたか否かを判定する。即ち、ユーザが、タッチペン４２を用いることにより、画像表示部１４に表示された一覧の画像の中から、好きな画像を選択したか否かが判定される。ステップＳ１０２において、ＣＰＵ６１は、画像が選択されていないと判定した場合、ＣＰＵ６１は、画像が選択されるまで待機する。
【００９４】
ステップＳ１０２において、画像が選択されたと判定した場合、ＣＰＵ６１は、処理をステップＳ１０３に進め、表示プロセッサ７１を制御し、画像表示部１４に、ユーザによって選択された１枚の画像を通常の大きさで（サムネイル画像としてではなく）、大きく表示する。ステップＳ１０４において、ＣＰＵ６１は、表示プロセッサ７１を制御して、画像表示部１４の所定の位置に落書きモード選択画面を表示する。
【００９５】
図１７は、画像表示部１４に表示される落書きモード選択画面の例を示す図である。図中、右上の案内表示部１９３には、「落書きモードを選択してね！」という落書きモードの選択を案内するメッセージが表示されている。図中、左側には、トラッキングモードボタン１９１と通常モードボタン１９２が表示される。トラッキングモードボタン１９１と通常ボタン１９２の図中、左側には、それぞれチェックボックスが設けられている。
【００９６】
ユーザによって、トラッキングモードボタン１９１と通常ボタン１９２のいずれかが選択されると、選択されたモードボタンの左側のチェックボックスがチェックされる。図１７の例の場合、トラッキングモードボタン１９１が選択されているので、トラッキングモードボタン１９１の左側に設けられたチェックボックスがチェックされている。案内表示部１９３の図中、右下の説明表示部１９４には、選択された落書きモードの説明が表示される。この例の場合、トラッキングモードボタン１９１がユーザにより選択されたので、「ライトペンを使用するときは、トラッキングモードを選んでね！」というメッセージが表示されている。
【００９７】
ステップＳ１０５において、ＣＰＵ６１は、トラッキングモードが選択された（ユーザがタッチペン４２によりトラッキングモードボタン１９１を選択した）か否かを判定する。トラッキングモードが選択されたと判定した場合、ＣＰＵ６１は、処理をステップＳ１０６に進め、ライトペン４１により入力されたか否かを判定する。ライトペンにより入力されていないと判定した場合、ＣＰＵ６１は、ライトペン４１により入力されるまで待機する。
【００９８】
ステップＳ１０６において、ライトペン４１により入力されたと判定した場合、ＣＰＵ６１は、処理をステップＳ１０７に進め、トラッキングする。すなわち、ＣＰＵ６１は、カメラ１３を制御して、ライトペン４１の光スポットを撮影する。このとき、カメラ１３の前面には、偏向フィルタ等が設けられており、ライトペン４１による光以外は遮断される。カメラ１３によって撮影された画像の撮影信号は、ＣＰＵ６１に供給され、光スポットの位置が検出される。検出された光スポットの位置データは、表示プロセッサ７１に供給される。このトラッキングの処理については、特開平１０−１０９９３により開示されている。
【００９９】
ステップＳ１０８において、ＣＰＵ６１は、トラッキングされた位置の加工画像の画像データを更新し、画像表示部１４に表示する。即ち、供給された光スポットの位置データに基づいて、ライトペン４１により入力された位置に対応する、表示プロセッサ７１のフレームバッファの第２の領域の画像データを更新し、画像表示部１４に表示する。
【０１００】
図１８は、図１４に示されるような画像に、トラッキングモードで落書きされた例を示す図である。撮影された３人の人１７１乃至１７３の画像の中央に、ライトペン４１を用いて、線２０１が描かれている。線２０１は、ライトペン４１の光がトラッキングされた結果の軌跡である。
【０１０１】
このように、本発明においては、ライトペンで落書きさせて、その軌跡をトラッキングさせることにより、画像の前景に効果をみせるので、変化に富んだ画像を提供することができる。
【０１０２】
ステップＳ１０５において、トラッキングモードが選択されていないと判定した場合、ＣＰＵ６１は、処理をステップＳ１０９に進め、通常モードが選択された（ユーザが、タッチペン４２を用いて通常モードボタン１９２を選択した）か否かを判定する。通常モードが選択されたと判定した場合、ＣＰＵ６１は、処理をステップＳ１１０に進め、表示プロセッサ７１を制御して、画像表示部１４に落書き画面（図１９）を表示する。
【０１０３】
ステップＳ１１１において、ＣＰＵ６１は、タッチペン４２により入力されたか否かを判定する。タッチペン４２により入力されていないと判定した場合、ＣＰＵ６１は、タッチペン４２により入力されるまで待機する。
【０１０４】
ステップＳ１１１において、タッチペン４２により入力されたと判定した場合、ＣＰＵ６１は、処理をステップＳ１１２に進め、落書きされた位置の加工画像の画像データを更新し、画像表示部１４に表示する。即ち、ＣＰＵ６１は、タッチペン４２により入力された位置に対応する、表示プロセッサ７１のフレームバッファの第２の領域の画像データを、タッチペン４２により入力された落書きの情報で更新し、画像表示部１４に表示する。
【０１０５】
図１９は、画像表示部１４に表示される落書き画面の例を示す図である。画面中央の表示部２１１には、ステップＳ１０２で選択された画像が表示される。画面の下には、オーロラスタンプボタン２２１、虹色スタンプボタン２２２、ラインスタンプボタン２２３、スタンプボタン２２４、のびのびスタンプボタン２２５、風船回転スタンプボタン２２６、背景ブラシボタン２２７、およびペンボタン２２８が設けられている。ユーザがタッチペン４２を用いて、これらのボタンのいずれかを選択すると、画面の左側に設けられたスタンプ選択部２１２に、選択されたボタンに予め設定されているスタンプが表示される。
【０１０６】
図１９の例の場合、ユーザによってスタンプボタン２２４が選択されているので、選択表示部２１２には、スタンプボタン２２４に対応して予め設定された、猫、犬、熊１、熊２、バス、飛行機等のスタンプが表示される。ユーザは、選択表示部２１２に表示されたスタンプを、タッチペン４２を用いて選択し、表示部２１１に表示された画像上で、タッチペン４２を操作することによって落書きを行う。
【０１０７】
即ち、図１９の例の場合、ユーザは、選択表示部２１２に表示されたスタンプのうち、飛行機を選択し、表示部２１１の左下部でタッチペン４２を操作することによって、飛行機のスタンプを落書きしている。同様に、ユーザは、選択表示部２１２に表示されたバスのスタンプを選択し、表示部２１１の右下部で３回タッチペン４２を操作することによって、バスのスタンプ３個を落書きしている。また、ユーザは、風船回転スタンプ２２６（タッチペン４２を操作することによって、マークの大きさを変化させることができるスタンプ）を選択し、選択表示部２１２に表示された星マークを選択して、表示部２１１の左側でタッチペン４２を３回操作することにより、星マーク３個を落書きしている。
【０１０８】
ステップＳ１０８の処理、またはステップＳ１１２の処理の後、あるいはまた、ステップＳ１０９の処理おいて、通常モードが選択されていないと判定された場合、ＣＰＵ６１は、処理をステップＳ１１３に進め、予め設定された落書きの制限時間が経過したか否かを判定する。予め設定された落書きの制限時間が経過していないと判定した場合、ＣＰＵ６１は、処理をステップＳ１１４に進め、画像表示部１４に表示された印刷ボタン（不図示）が、ユーザのタッチペン４２の操作によって選択されたか否かを判定する。
【０１０９】
ステップＳ１１４において、印刷ボタンが選択されていないと判定した場合、ＣＰＵ６１は、処理をステップＳ１０４に戻し、落書きモード選択画面を表示し、ステップＳ１０５乃至ステップＳ１１２の処理により、選択されたモードに基づいて、落書き処理を行なう。ステップＳ１１３で制限時間が経過したと判定するか、またはステップＳ１１４で印刷ボタンが選択されたと判定するまで、ＣＰＵ６１は、このような処理を繰り返す。
【０１１０】
ステップＳ１１３で制限時間が経過したと判定した場合、またはステップＳ１１４で印刷ボタンが選択されたと判定した場合、ＣＰＵ６１は、処理を図４のステップＳ４に進め、印刷処理を行なう。
【０１１１】
ＣＰＵ６１が行う印刷処理を、図２０のフローチャートを参照して説明する。
【０１１２】
ステップＳ１３１において、ＣＰＵ６１は、表示プロセッサ７１を制御して、画像表示部１４に分割モード選択画面を表示する。ステップＳ１３２において、ＣＰＵ６１は、分割モードが選択された（ユーザがタッチペン４２を用いて、選択画面から分割モードを選択した）か否かを判定する。分割モードが選択されていないと判定された場合、ＣＰＵ６１は、分割モードが選択されるまで待機する。
【０１１３】
ステップＳ１３２において、分割モードが選択されたと判定した場合、ＣＰＵ６１は、処理をステップＳ１３３に進め、プリンタ６６を制御して、選択された分割モードに基づいて、画像を印刷する。
【０１１４】
ステップＳ１３３の処理の後、ＣＰＵ６１は、処理を図４のステップＳ５に進め、表示プロセッサ７１を制御して、画像表示部１４に、ライトペン４１とタッチペン４２を返却するように案内表示する。
【０１１５】
図２１は、画像表示部１４に表示された、ライトペン４１とタッチペン４２の返却を促す案内表示の例を示す。画面上部の案内表示部２４１には、「落書きペンをスタンドに戻してね！」というメッセージが表示されている。
【０１１６】
ステップＳ６において、ＣＰＵ６１は、ライトペン４１とタッチペン４２が、返却されたか否かを判定する。即ち、ライトペン４１とタッチペン４２が、収納室１２のそれぞれの収納部４３と収納部４４に収納されたか否かを、収納部４３と収納部４４の底面に設けられたセンサ４５とセンサ４６により検知する。
【０１１７】
ステップＳ６において、ライトペン４１とタッチペン４２が返却されていないと判定した場合、ＣＰＵ６１は、処理をステップＳ７に進め、表示プロセッサ７１を制御して、画像表示部１４に、再度、ライトペン４１とタッチペン４２の返却を促す案内表示をし、処理をステップＳ６に戻す。
【０１１８】
図２２は、画像表示部１４に表示された、ライトペン４１とタッチペン４２の返却を再度促す案内表示の例を示す。画面には、「落書きペンをスタンドに戻さないとシールは取り出しできません。」というメッセージが表示されている。
【０１１９】
ステップＳ６において、ライトペン４１とタッチペン４２が返却されたと判定した場合、ＣＰＵ６１は、処理をステップＳ８に進め、図２０のステップＳ１３３の処理によって印刷されたシール紙６７を、シール取り出し口１６から出力する。
【０１２０】
なお、上述の処理では、ライトペン４１とタッチペン４２が返却された場合、印刷されたシール紙６７をシール取り出し口１６から出力させたが、シール取り出し口１６にロック機構つきの扉（不図示）を設けた場合、ライトペン４１とタッチペン４２が返却されたか否かによらず、印刷されたシール紙６７を、シール取り出し口１６に排出させ、ライトペン４１とタッチペン４２が返却されない場合、シール取り出し口１６の扉を開けることができない（扉にロックをかける）ようにしてもよい。この場合、ライトペン４１とタッチペン４２が返却されると、シール取り出し口１６の扉のロックが解除され、ユーザは、シール紙６７を自由に取り出すことができる。
【０１２１】
なお、本明細書において上述した一連の処理を実行するステップは、記載された順序に沿って時系列的に行われる処理はもちろん、必ずしも時系列的に処理されなくとも、並列的あるいは個別に実行される処理をも含むものである。
【０１２２】
【発明の効果】
本発明の写真シール販売機によれば、人のほぼ全身を表示できる大きさに表示画面を大きくしたので、複数の人が同時に編集入力を行うことができる。また、撮影や編集入力の種類を増やしたので、面白みのある画像を作成することができる。
【０１２３】
本発明の写真シール作成装置によれば、色々な撮影や編集入力のできる写真シール販売機により撮影され、編集された印刷媒体が作成される。
【図面の簡単な説明】
【図１】本発明を適用した写真シール販売機の外観の構成を示す図である。
【図２】図１の収納室の外観の構成を示す図である。
【図３】図１の写真シール販売機の構成例を示すブロック図である。
【図４】図１の写真シール販売機のゲーム処理を説明するフローチャートである。
【図５】図４のステップＳ２の撮影処理を説明するフローチャートである。
【図６】図４のステップＳ２の撮影処理を説明するフローチャートである。
【図７】撮影モード選択画面の例を示す図である。
【図８】多重露光モードで撮影された画像の例を示す図である。
【図９】図５のステップＳ３０の先幕後幕撮影処理を説明するフローチャートである。
【図１０】先幕撮影モードで撮影された画像の例を示す図である。
【図１１】後幕撮影モードで撮影された画像の例を示す図である。
【図１２】後幕撮影モードで撮影された画像の例を示す図である。
【図１３】図５のステップＳ３２の通常撮影処理を説明するフローチャートである。
【図１４】通常撮影モードで撮影された画像の例を示す図である。
【図１５】図４のステップＳ３の落書き処理を説明するフローチャートである。
【図１６】図４のステップＳ３の落書き処理を説明するフローチャートである。
【図１７】落書きモード選択画面の例を示す図である。
【図１８】トラッキングモードで落書きした画像の例を示す図である。
【図１９】通常モードの落書き画面の例を示す図である。
【図２０】図４のステップＳ４の印刷処理を説明するフローチャートである。
【図２１】ライトペンとタッチペンの返却を促す案内表示の例を示す図である。
【図２２】ライトペンとタッチペンの返却を促す案内表示の例を示す図である。
【符号の説明】
１　写真シール販売機
１０　筺体
１１−１および１１−２　照明装置
１２　収納室
１３　カメラ
１４　画像表示部
１５　硬貨投入口
１６　シール取り出し口
４１−１乃至４１−３　ライトペン
４２−１乃至４２−３　タッチペン
４３−１乃至４３−３，４４−１乃至４４−３　収納室
４５−１乃至４５−３，４６−１乃至４６−３　センサ
６１　ＣＰＵ
６２　ＲＯＭ
６３　ＲＡＭ
６４　ドライバ
６５　硬貨処理部
６６　プリンタ
６７　シール紙
６８　ＩＤタグリーダ／ライタ
６９　ＩＤタグ
７０　シール紙ユニット
７１　表示プロセッサ
７２　タッチパネル
【図１】
2004126445.tif 000003
【図２】
2004126445.tif 000004
【図３】
2004126445.tif 000005
【図４】
2004126445.tif 000006
【図５】
2004126445.tif 000007
【図６】
2004126445.tif 000008
【図７】
2004126445.tif 000009
【図８】
2004126445.tif 000010
【図９】
2004126445.tif 000011
【図１０】
2004126445.tif 000012
【図１１】
2004126445.tif 000013
【図１２】
2004126445.tif 000014
【図１３】
2004126445.tif 000015
【図１４】
2004126445.tif 000016
【図１５】
2004126445.tif 000017
【図１６】
2004126445.tif 000018
【図１７】
2004126445.tif 000019
【図１８】
2004126445.tif 000020
【図１９】
2004126445.tif 000021
【図２０】
2004126445.tif 000022
【図２１】
2004126445.tif 000023
【図２２】
2004126445.tif 000024